(57)【要約】【課題】施工性を向上しうる間仕切り壁用のスタッド及び間仕切り壁の施工方法を提供する。【解決手段】界壁１に用いられるスタッド８であって、横断面が閉じた矩形状をなす本体部３２と、この本体部３２に挿入されるアジャスタ３４とを含み、アジャスタ３４は、長手方向にのびる切り欠き部を有した開放横断面を有し、しかもアジャスタ３４は、切り欠き部を狭める向きに弾性変形させることにより本体部３２に挿入でき、かつ、弾性変形の復元による本体部３２の内周面との間の摩擦力にて本体部３２に固定されることを特徴としている。【選択図】図４
2014047485.tif 000002
【特許請求の範囲】
【請求項１】
間仕切り壁に用いられるスタッドであって、
横断面が閉じた矩形状をなす本体部と、この本体部に挿入されるアジャスタとを含み、
前記アジャスタは、長手方向にのびる切り欠き部を有した開放横断面を有し、
しかも前記アジャスタは、前記切り欠き部を狭める向きに弾性変形させることにより前記本体部に挿入でき、かつ、前記弾性変形の復元による前記本体部の内周面との間の摩擦力にて前記本体部に固定されることを特徴とするスタッド。
【請求項２】
前記可変長スタッドは、予め、前記本体部と前記アジャスタとの最小重なり長さが規定されており、
前記アジャスタには、前記アジャスタと前記本体部との重なり長さが、前記最小重なり長さを下回ったときに視認可能に出現する目印が設けられている請求項１記載のスタッド。
【請求項３】
高さが異なる非水平な上縁部を含む間仕切り壁の施工方法であって、
前記上縁部に沿ってのびる上側ランナーを固定する工程と、
前記上側ランナーの下方を水平にのびる下側ランナーを固定する工程と、
前記上側ランナーと前記下側ランナーとの間に、上下にのびる複数本のスタッドを配置する工程と、
前記スタッドに間仕切り用の面材を固定する工程とを含み、
前記スタッドは、長さが調節可能な可変長スタッドを含むことを特徴とする間仕切り壁の施工方法。
【請求項４】
前記可変長スタッドは、横断面が閉じた矩形状をなす本体部と、この本体部に挿入されるアジャスタとを含み、
前記アジャスタは、前記本体部の内周面との間の摩擦力にて前記本体部に固定される請求項３記載の間仕切り壁の施工方法。
【請求項５】
前記可変長スタッドは、予め、前記本体部と前記アジャスタとの最小重なり長さが規定されており、
前記アジャスタには、前記アジャスタと前記本体部との重なり長さが、前記最小重なり長さを下回ったときに視認可能に出現する目印が設けられている請求項４記載の間仕切り壁の施工方法。
【請求項６】
前記上側ランナー及び前記下側ランナーの横断面は、それぞれ、一対のフランジと、それらの間を継ぐウエブとを含む溝型であり、かつ、前記上側ランナー及び前記下側ランナーは、溝部を互いに向き合わせて配置され、
前記スタッドを配置する工程は、前記本体部を前記上側ランナーの溝部に挿入して位置決めし、しかる後、前記アジャスタを前記本体部に対してスライドさせ該アジャスタを前記下側ランナーの溝部に挿入する請求項４又は５記載の間仕切り壁の施工方法。
【請求項７】
前記アジャスタの横断面は、前記下側ランナーの前記フランジに沿ってのびる一対の側壁部と、該側壁部を継ぐ主壁部とを有する略Ｃ字状であり、かつ、前記切欠き部が間仕切り壁の壁芯側に配置され、
前記面材を固定する工程は、前記面材を、複数本のビスで前記スタッドに固着する工程を含み、
前記ビスは、前記本体部よりも前記アジャスタ側に先に打ち込まれる請求項４又は５記載の間仕切り壁の施工方法。
【請求項８】
上縁部は、屋根勾配に沿った傾斜を有している請求項３乃至７のいずれかに記載の間仕切り壁の施工方法。
【発明の詳細な説明】
【技術分野】
【０００１】
本発明は、施工性を向上しうる間仕切り壁用のスタッド及び間仕切り壁の施工方法に関する。
【背景技術】
【０００２】
例えば、集合住宅等の隣接住戸間を区切る界壁は、通常、小屋裏内までのびている。このため、界壁の上縁部は、屋根勾配に沿って傾斜している。このような界壁は、一般的には、水平にのびる下側ランナーと、屋根勾配に沿って傾斜する上側ランナーと、これらの間にはめ込まれて上下方向にのびかつ水平方向に隔設された複数本のスタッドとからなる枠組の両側に、耐火性の面材が固着されて構成されている。関連する技術としては、次のものがある。
【先行技術文献】
【特許文献】
【０００３】
【特許文献１】特開２００９−１３６９０号公報
【特許文献２】特開２００８−１６９５５８号公報
【発明の概要】
【発明が解決しようとする課題】
【０００４】
ところで、上述のような界壁では、上側ランナーと下側ランナーとの上下方向の距離が水平方向で変化する。このため、スタッドには、長さが異なる複数種類の材料が必要である。
【０００５】
従来、このような界壁の施工時には、長尺なスタッドを、現場で必要な長さに切断することにより、複数種類のスタッドが準備されていた。しかしながら、このような施工は、生産性が悪く、能率的ではなかった。
【０００６】
本発明は、以上のような問題点に鑑み案出なされたもので、間仕切り壁の生産性を向上しうる間仕切り壁用のスタッド及び間仕切り壁の施工方法を提供することを主たる目的としている。
【課題を解決するための手段】
【０００７】
本発明のうち請求項１記載の発明は、間仕切り壁に用いられるスタッドであって、
横断面が閉じた矩形状をなす本体部と、この本体部に挿入されるアジャスタとを含み、前記アジャスタは、長手方向にのびる切り欠き部を有した開放横断面を有し、しかも前記アジャスタは、前記切り欠き部を狭める向きに弾性変形させることにより前記本体部に挿入でき、かつ、前記弾性変形の復元による前記本体部の内周面との間の摩擦力にて前記本体部に固定されることを特徴とする。
【０００８】
また請求項２記載の発明は、前記可変長スタッドは、予め、前記本体部と前記アジャスタとの最小重なり長さが規定されており、前記アジャスタには、前記アジャスタと前記本体部との重なり長さが、前記最小重なり長さを下回ったときに視認可能に出現する目印が設けられている請求項１記載のスタッドである。
【０００９】
また請求項３記載の発明は、高さが異なる非水平な上縁部を含む間仕切り壁の施工方法であって、前記上縁部に沿ってのびる上側ランナーを固定する工程と、前記上側ランナーの下方を水平にのびる下側ランナーを固定する工程と、前記上側ランナーと前記下側ランナーとの間に、上下にのびる複数本のスタッドを配置する工程と、前記スタッドに間仕切り用の面材を固定する工程とを含み、前記スタッドは、長さが調節可能な可変長スタッドを含むことを特徴とする。
【００１０】
また請求項４記載の発明は、前記可変長スタッドは、横断面が閉じた矩形状をなす本体部と、この本体部に挿入されるアジャスタとを含み、前記アジャスタは、前記本体部の内周面との間の摩擦力にて前記本体部に固定される請求項３記載の間仕切り壁の施工方法である。
【００１１】
また請求項５記載の発明は、前記可変長スタッドは、予め、前記本体部と前記アジャスタとの最小重なり長さが規定されており、前記アジャスタには、前記アジャスタと前記本体部との重なり長さが、前記最小重なり長さを下回ったときに視認可能に出現する目印が設けられている請求項４記載の間仕切り壁の施工方法である。
【００１２】
また請求項６記載の発明は、前記上側ランナー及び前記下側ランナーの横断面は、それぞれ、一対のフランジと、それらの間を継ぐウエブとを含む溝型であり、かつ、前記上側ランナー及び前記下側ランナーは、溝部を互いに向き合わせて配置され、前記スタッドを配置する工程は、前記本体部を前記上側ランナーの溝部に挿入して位置決めし、しかる後、前記アジャスタを前記本体部に対してスライドさせ該アジャスタを前記下側ランナーの溝部に挿入する請求項４又は５記載の間仕切り壁の施工方法である。
【００１３】
また請求項７記載の発明は、前記アジャスタの横断面は、前記下側ランナーの前記フランジに沿ってのびる一対の側壁部と、該側壁部を継ぐ主壁部とを有する略Ｃ字状であり、かつ、前記切欠き部が間仕切り壁の壁芯側に配置され、前記面材を固定する工程は、前記面材を、複数本のビスで前記スタッドに固着する工程を含み、前記ビスは、前記本体部よりも前記アジャスタ側に先に打ち込まれる請求項４又は５記載の間仕切り壁の施工方法である。
【００１４】
また請求項８記載の発明は、上縁部は、屋根勾配に沿った傾斜を有している請求項３乃至７のいずれかに記載の間仕切り壁の施工方法である。
【発明の効果】
【００１５】
請求項１に記載の間仕切り壁に用いられるスタッドでは、横断面が閉じた矩形状をなす本体部と、この本体部に挿入されるアジャスタとを含み、前記アジャスタは、長手方向にのびる切り欠き部を有した開放横断面を有し、しかも前記アジャスタは、前記切り欠き部を狭める向きに弾性変形させることにより前記本体部に挿入でき、かつ、前記弾性変形の復元による前記本体部の内周面との間の摩擦力にて前記本体部に固定されることを特徴とする。
【００１６】
従って、本体部とアジャスタとの重なり長さを調節することにより、長さが異なる複数種類のスタッドを得ることができる。しかも、本体部とアジャスタとは、双方の摩擦力で固定されるため、特別な加工や、現場での切断作業を不要としつつ、長さが異なる複数種類のスタッドを得ることができる。従って、請求項１のスタッドを用いることにより、間仕切り壁の生産性を大幅に向上することができる。
【００１７】
請求項３に記載の間仕切り壁の施工方法では、間仕切り壁の非水平な上縁部に沿ってのびる上側ランナーを固定する工程と、上側ランナーの下方を水平にのびる下側ランナーを固定する工程と、上側ランナーと下側ランナーとの間に、上下にのびる複数本のスタッドを配置する工程と、スタッドに間仕切り用の面材を固定する工程とを含み、前記スタッドは、長さが調節可能な可変長スタッドを含むことを特徴とする。
【００１８】
このような施工方法によれば、可変長スタッドの長さを異ならせることにより、現場での切断作業を不要としつつ、長さが異なる複数種類のスタッドを得ることができる。従って、請求項３の施工方法を用いることにより、間仕切り壁の生産性を大幅に向上することができる。
【図面の簡単な説明】
【００１９】
【図１】界壁の概略構成を示す斜視図である。
【図２】小屋裏内の界壁の正面図である。
【図３】図２のＸ−Ｘ断面図である。
【図４】図１の小屋裏の界壁の部分拡大図である。
【図５】図４の可変長スタッドと下側ランナーとの接合部を示す部分拡大図である。
【図６】本体部の断面図である。
【図７】アジャスタの断面図である。
【図８】本体部とアジャスタとの重なり長さを説明する可変長スタッドの斜視図である。
【図９】小屋裏内の界壁の正面図である。
【発明を実施するための形態】
【００２０】
以下、本発明の実施の一形態が図面に基づき説明される。
図１は集合住宅の界壁１の概略構成を示す斜視図、図２はその面材を一部取り除いた小屋裏部の正面図、及び、図３は図２のＸ−Ｘ断面図をそれぞれ示している。界壁１は、隣接している住戸Ａと住戸Ｂをと区切る間仕切り壁として用いられる。本実施形態の界壁１は、１階部分の界壁１ａと、２階部分の界壁１ｂと、小屋裏の界壁１ｃとを含む。
【００２１】
１階部分の界壁１ａは、基礎２から１階の天井面３までのびている。また、１階部分の界壁１ａは、基礎２に金物４を介して水平に支持された下側ランナー５と、２階の床梁６に固着されて水平にのびる上側ランナー７と、これらの間にはめ込まれて上下方向にのびかつ水平方向に隔設された複数本のスタッド８とからなる枠組の両側に、石膏ボード等の耐火性の面材９が固着されて構成されている。この例では、面材９は、矩形状に分割されており、両側それぞれ２枚重ねて設けられている。
【００２２】
２階部分の界壁１ｂは、２階の床１０の上面側に固定されて水平にのびる下側ランナー５と、屋根梁１３の下面側に固着されて水平にのびる上側ランナー７と、これらの間にはめ込まれて上下方向にのびかつ水平方向に隔設された複数本のスタッド８とからなる枠組の両側に、耐火性の面材９が固着されている。この面材９も、矩形状に分割されており、その上縁は、屋根梁１３を越えて終端している。
【００２３】
小屋裏の界壁１ｃは、屋根梁１３の上面側に固定されて水平にのびる下側ランナー５と、勾配を有した垂木１４の下面に固着されることにより該垂木１４と同じ勾配を有する非水平の上側ランナー７と、これらの間にはめ込まれて上下方向にのびかつ水平方向に隔設された複数本のスタッド８とからなる枠組の両側に、耐火性の面材９が固着されている。この面材９は、三角形乃至台形状に分割されている。なお、垂木１４は、束１５で固定されている母屋１６で支持される。
【００２４】
図４に小屋裏の界壁１ｃが代表的に示されるように、各界壁１ａ、１ｂ及び１ｃで用いられている下側ランナー５及び上側ランナー７は、それぞれ、一対のフランジ１８と、それらの間を継ぐウエブ１９とを含む断面コ字状をなす軽鉄の溝形鋼からなる。また、上側ランナー７及び下側ランナー５は、それぞれ溝部を互いに向き合わせて所定の部材に固定されている。
【００２５】
各界壁１ａ、１ｂ及び１ｃでは、下側ランナー５と上側ランナー７との間に、前記スタッド８が水平方向に間隔を隔てて配置される。図３に示されるように、スタッド８は、住戸Ａ側の面材９Ａ又は住戸Ｂ側の面材９Ｂのいずれか一方のみとビスで固定され、両側の面材９Ａ及び９Ｂには、固着されていない。これにより、例えば、住戸Ａ側の振動が、面材９及びスタッド８を介して、住戸Ｂ側に伝達されることが防止される。本実施形態では、スタッド８が、面材９Ａ、９Ｂ間で千鳥状に配置されており、その間にロックウール等の断熱材２０が配置されている。
【００２６】
図１に示したように、１階部分の界壁１ａ及び２階部分の界壁１ｂには、例えば、角スタッドが用いられる。この角スタッドは、断面矩形の筒状体であり、予め必要な長さに切断されたものが使用される。つまり、１階部分の界壁１ａ及び２階部分の界壁１ｂには、長さが変化しないスタッド８が用いられる。
【００２７】
一方、図４に示したように、小屋裏の界壁１ｃには、長さが調節可能な可変長スタッド３０が含まれている。図５にさらに拡大して示されるように、可変長スタッド３０は、本体部３２と、この本体部３２に挿入されるアジャスタ３４とを含んでいる。
【００２８】
図６には、本体部３２の横断面図が示されている。該本体部３２は、向き合う一対の長辺部３２ａと、該長辺部３２ａよりも長さが小さい一対の短辺部３２ｂとからなり、横断面が閉じた矩形状で構成されている。本実施形態の本体部は、鋼板が矩形状に折り曲げられかつその両縁を固着することにより閉断面が得られている。ただし、本体部３２は、このような形態に限定されるものではない。
【００２９】
図５及びアジャスタ３４の横断面図である図７に示されるように、アジャスタ３４は、長手方向にのびる切り欠き部２２を有した開放横断面を有する。該アジャスタ３４は、例えば、厚さｔが約０．５mm程度の鋼板を曲げ加工することにより形成されている。アジャスタ３４の横断面は、本体部３２への挿入時、短辺部３２ｂに沿う一対の側壁部３４ａと、該側壁部３４ａ、３４ａを継ぐとともに本体部３２の一方の長辺部３２ａに沿う主壁部３４ｂとを有する略Ｃ字状である。本実施形態の側壁部３４ａは、切り欠き部２２側に、本体部３２の長辺部３２ａに沿って少長さでのびる返し部３４ｃが設けられている。
【００３０】
また、図６及び図７に示されるように、本実施形態のアジャスタ３４は、切り欠き部２２側の一対の側壁部３４ａ、３４ａ間の寸法Ｗ２は、本体部３２の内周面ｉでの短辺部３２ｂ、３２ｂ間の寸法Ｗ１よりも大きく形成されている。なお、アジャスタ３４の切り欠き部２２がない側の一対の側壁部３４ａ、３４ａ間の寸法Ｗ３は、本体部３２の前記寸法Ｗ１よりも僅かに小さく形成されている。さらに、アジャスタ３４の側壁部３４ａの長さＬ２も、本体部３２の短辺部３２ｂの内周面ｉの長さＬ１よりも僅かに小さく形成されている。
【００３１】
このような可変長スタッド３０は、アジャスタ３４の切り欠き部２２を狭める向き、即ち、アジャスタ３４の一対の側壁部３４ａ、３４ａを互いに接近する向きに弾性変形させることにより、本体部３２に挿入できる。本体部３２へ挿入されたアジャスタ３４は、弾性変形の復元により本体部３２の内周面ｉと強く接触する。この接触時の摩擦力により、アジャスタ３４は、本体部３２に固定される。
【００３２】
スタッド８は、面材９を固着するための下地材として用いられるもので、下側ランナー５と上側ランナー７との間で鉛直荷重を負担するものではない。従って、可変長スタッド３０において、アジャスタ３４と本体部３２とが「固定」されるとは、スタッド８を下側ランナー５と上側ランナー７との間に建て込んだ際に、スタッド８の長さが維持され容易に変化しない程度に本体部３２とアジャスタ３４との位置が保持されていればたりる趣旨である。
【００３３】
以上のように、本実施形態の可変長アジャスタ３０は、本体部３２とアジャスタ３４との重なり長さを調節することにより、長さが異なる複数種類のスタッド８を得ることができる。しかも、本体部３２とアジャスタ３４とは、双方の摩擦力で固定されるため、特別な加工や、現場での切断作業を不要としつつ、長さが異なる複数種類のスタッド８を現場で容易に得ることができる。従って、本実施形態のスタッド８を用いることにより、間仕切り壁の生産性を大幅に向上することができる。
【００３４】
図８に示されるように、可変長スタッド３０において、本体部３２とアジャスタ３４との重なり長さＹａが小さくなると、上述の摩擦力や曲げ強度等が大幅に低下するおそれがある。このため、可変長スタッド３０は、予め、施工時に、本体部３２とアジャスタ３４とが重ねられるべき長さである最小重なり長さＹが規定されている。本実施形態では、種々の実験により、約１００mmの最小重なり長さＹが設定されている。そして、本実施形態のアジャスタ３４には、アジャスタ３４と本体部３２との重なり長さＹａが、前記最小重なり長さＹを下回ったときに、視認可能に出現する目印３６が設けられている。
【００３５】
目印３６は、例えば開口部である。この実施形態では、アジャスタ３４の側壁部３４ａと周壁部３４ｂとが交わる各出隅コーナ３７に、それぞれ１つの目印３６が設けられている。このような目印３６は、各出隅コーナ３７において、２つの面に跨って形成されているため、施工時に作業者からの視認性が良い。また、このような目印３６は、アジャスタ３４の成形と同時に形成することが可能であるため、罫書き線などに比して生産性にも優れる。また、上記出隅コーナ３７は、通常、面材９を固定する際、ビスが通される位置ではないため、目印３６が、面材９の固着の妨げになることもない。
【００３６】
以上のように構成された界壁１のうち、小屋裏の界壁１ｃの施工方法について述べる。先ず、屋根勾配に沿った傾斜を有する上側ランナー７と、その下方を水平にのびる下側ランナー５とが固定される。これらの工程は、取付用の金物等を用いて適宜行われる。また、上で述べたように、上側ランナー７及び下側ランナー５は、それぞれ、溝部を互いに向き合わせて配置される。
【００３７】
次に、上側ランナー７と下側ランナー５との間に、上下にのびる複数本のスタッド８が配置される。この際、スタッド８の一部乃至全部は、上述の長さが調節可能な可変長スタッド３０が用いられる。
【００３８】
可変長スタッド３０は、好ましくは、予め、本体部３２とアジャスタ３４とが挿入されており、かつ、建て込み位置の上下寸法よりもやや小さい長さに仮調整されるのが好ましい。そして、作業者は、長さが調整された可変長スタッド３０の本体部３２を、上側ランナー７の溝部に挿入して位置決めし、しかる後、アジャスタ３４を本体部３２に対してスライドさせて伸ばし、該アジャスタ３４を下側ランナー５の溝部に挿入する。そして、可変長スタッド３０が、上側ランナー７及び下側ランナー５の間でいわゆる突っ張り状態で保持される。
【００３９】
また、可変長スタッド３０は、アジャスタ３４の一対の側壁部３４ａが、下側ランナー５のフランジ１８と平行になるように建て込まれる。これにより、アジャスタ３４は、切欠き部２２が界壁１ｃの壁芯側に配置される。
【００４０】
このような工程では、作業者は、天井裏といった高所の位置に登ること無く、屋根梁１３辺りから施工を行うことができる。従って、作業性に優れる。また、本実施形態では、アジャスタ３４に、本体部３２との重なり長さが、最小重なり長さを下回ったときに視認可能に出現する目印３６が設けられているため、施工の良否を直感的に判断することができる。なお、安定性を増すために、必要に応じて、アジャスタ３４の下端は、下側ランナー５のフランジにワンタッチビス等で仮固定されても良い。
【００４１】
図９に示されるように、小屋裏の界壁１ｃにおいて、可変長スタッド３０は、本体部３２及びアジャスタ３４について、それぞれ長さが異なる複数種類のものが含まれている。図９には、本体部３２について、少なくとも符号（ａ）乃至（ｅ）の５種類の長さが含まれている。また、アジャスタ３４については、符号（Ｓ）及び（Ｌ）で示される２種類のものが含まれている。これらを組み合わせることにより、下側ランナー５と上側ランナー７との間の上下方向の長さの変化に対応できる。例えば、隣り合う可変長スタッド３０（ｂ）については、本体部３２は、互いに同一であるが、一方にはＳタイプのアジャスタ３４が、他方にはＳタイプよりも長尺なＬタイプのアジャスタ３４が用いられている。このように、本実施形態の可変長アジャスタ３０は、本体部３２を共有しつつアジャスタ３４の長さを異ならせる（又はその逆とする）ことにより、異なる長さに柔軟に対応することができる。
【００４２】
次に、下側ランナー５、上側ランナー７及びスタッド８からなる枠組下地の両側に面材９が固定される。
【００４３】
この工程では、例えば、図５に示されるように、面材９が、複数本のビス４０で可変長スタッド３０に固着される。面材９を可変長スタッド３０に固着する場合、ビス４０が面材９の外面側から可変長スタッド３０に向けて打ち込まれる。ビス４０は、アジャスタ３４の側壁部３４ａを先に貫通する第１の位置Ｐ１と、本体部３２の短辺部３２ｂを先に貫通する第２の位置Ｐ２とを含んで打ち込まれる。
【００４４】
ここで、第２の位置Ｐ２に最初にビス４０を打ち込もうとすると、ビス４０は、剛性が高い本体部３２の短辺部３２ｂは容易に貫通しうるが、アジャスタ３４の側壁部３４ａは、ビス４０の先端との接触により、切り欠き部２２を狭めるように弾性変形して逃げる。このため、本体部３２を貫通したビス４０は側壁部３４ａを舐めてしまい、十分なビス固着を行うことができないおそれがある。このため、本工程においては、ビス４０は、本体部３２よりもアジャスタ３４側に先に打ち込まれる。
【００４５】
この際、図５から明らかなように、作業者は、手指でアジャスタ３４の返し部３４ｃ又は側壁部３４ａを下側ランナー５のフランジ１８側に引き寄せた状態で、ビス４０が第１の位置Ｐ１に打ち込まれるのが特に望ましい。これにより、確実にビス４０を可変長スタッド３０のアジャスタ３４に打ち込むことができる。また、第１の位置Ｐ１にビス４０を打ち込んだ後は、第２の位置Ｐ２にビス４０を打ち込んだ場合でも、アジャスタ３４の側壁部３４ａは、既に下側ランナー５のフランジ１８側へ固定されているため、ビスが舐めることもない。
【００４６】
以上、本発明の実施形態について詳述したが、本発明は、種々の態様に変形して実施することができる。例えば、間仕切り壁の非水平な上縁部の形状には、勾配を有するもののみならず、段差状のものが含まれ得る。
【符号の説明】
【００４７】
１  界壁
１ｃ  小屋裏の界壁
５  下側ランナー
７  上側ランナー
８  スタッド
９  面材
１８  下側ランナーのフランジ
３０  可変長スタッド
４０  ビス
【図１】
2014047485.tif 000003
【図２】
2014047485.tif 000004
【図３】
2014047485.tif 000005
【図４】
2014047485.tif 000006
【図５】
2014047485.tif 000007
【図６】
2014047485.tif 000008
【図７】
2014047485.tif 000009
【図８】
2014047485.tif 000010
【図９】
2014047485.tif 000011